(57)【要約】【目的】横向き寝の姿勢でも就寝者の頭部を安定的に支持しながら就寝者の口腔領域へ悪影響を確実に無くすことができる、口腔を保護する枕を提供する。【構成】ユーザーの後頭部を支持するための頭頂側袋体であって、平面が左右に細長い略長方形状に形成されている頭頂側袋体と、ユーザーの耳周辺部及び頸部を支持するための頸部側袋体であって、その左右両端部に、前記頭頂側袋体の左右両端部に近い部分からそれぞれユーザーの胴体中央方向に向かう斜め方向に略円弧状に切り欠かれて成る欠損部であってユーザーが横向きで寝るときに前記ユーザーの顎部が対向する欠損部が形成されている頸部側袋体と、前記頭頂側袋体と前記頸部側袋体との境界部及びその近傍に形成されている断面略Ｖ字状の凹部とを備えて成る枕である。前記頭頂側袋体及び頸部側袋体の内部に繊維を互いに絡み合わせて成る多数の粒状体が充填・収容されているのがよい。【選択図】    図１
2011218138.tif 000002
【特許請求の範囲】
【請求項１】
ユーザーの後頭部を支持する頭頂側袋体とユーザーの耳周辺部及び頸部を支持する頸部側袋体とがユーザーから見て上下方向に並ぶように配置されて成る、口腔を保護する枕であって、
所定の内容物が入れられた頭頂側袋体であって、平面が細長い略長方形状に形成され、そのユーザーから見て左右方向の長さが、ユーザーの額の左右いずれか一方の側部から後頭部を介してユーザーの額の左右いずれか他方の側部に至るまでの距離と略同一の長さ又はこれよりも大きい長さである約３０〜６０ｃｍに、形成されている、頭頂側袋体と、
所定の内容物が入れられた頸部側袋体であって、（ａ）その上端部が、前記頭頂側袋体の頸部側と接しており、（ｂ）その平面が、上下逆向きの略台形状に形成されており、（ｃ）その左右両側に、その前記頭頂側袋体の左右両端部に近い部分からそれぞれユーザーの胴体中央方向に向かう斜め方向の略円弧状もしくは略直線状の境界線により画されている欠損部であってユーザーが横向きで寝るときの前記ユーザーの顎部と対向する欠損部、が形成されており、（ｄ）その全体のユーザーから見て上下方向の長さが、「ユーザーの頸部の上下方向の長さ、すなわちユーザーの耳部もしくはその周辺部から肩に至るまでの距離」と略同一の長さ又はこれに近似する長さである約９〜１５ｃｍに、形成されており、（ｅ）その前記頭頂側袋体側に近い部分のユーザーから見て左右方向の長さが、ユーザーの左右いずれか一方の耳部から後頭部を介して他方の耳部に至るまでの距離と近似する長さと前記頭頂側袋体のユーザーから見て左右方向の長さと略同一の長さとのいずれかの長さである約２８〜６０ｃｍに、形成されており、（ｆ）その前記頭頂側袋体側から離れている部分のユーザーから見て左右方向の長さが、ユーザーの左右いずれか一方の顎部の後頭部側から頸部の背側を介して他方の顎部の後頭部側に至るまでの距離と略同一の長さ又はこれに近似する長さである約１８〜２６ｃｍに、形成されている、頸部側袋体と、
前記頭頂側袋体と前記頸部側袋体との境界部及びその近傍部分にユーザーから見て左右方向に沿って形成されている断面略Ｖ字状の凹部であって、前記頸部側袋体から前記頭頂側袋体に近づくに従ってユーザーから離れる方向に傾斜するように形成されておりユーザーが横向き寝の姿勢にあるときにユーザーの耳部が配置される傾斜部、を含む凹部と、
を含むことを特徴とする口腔を保護する枕。
【請求項２】
ユーザーの後頭部を支持する頭頂側袋体とユーザーの耳周辺部及び頸部を支持する頸部側袋体とがユーザーから見て上下方向に並ぶように配置されて成る、口腔を保護する枕であって、
所定の内容物が入れられた頭頂側袋体であって、平面が細長い略長方形状に形成され、そのユーザーから見て左右方向の長さが約３０〜６０ｃｍに形成されている、頭頂側袋体と、
所定の内容物が入れられた頸部側袋体であって、（ａ）その上端部が、前記頭頂側袋体の頸部側と接しており、（ｂ）その平面が、上下逆向きの略台形状に形成されており、（ｃ）その左右両側に、その前記頭頂側袋体の左右両端部に近い部分からそれぞれユーザーの胴体中央方向に向かう斜め方向の略円弧状もしくは略直線状の境界線により画されている欠損部であってユーザーが横向きで寝るときの前記ユーザーの顎部と対向する欠損部、が形成されており、（ｄ）その全体のユーザーから見て上下方向の長さが約９〜１５ｃｍに形成されており、（ｅ）その前記頭頂側袋体側に近い部分のユーザーから見て左右方向の長さが約２８〜６０ｃｍに形成されており、（ｆ）その前記頭頂側袋体側から離れている部分のユーザーから見て左右方向の長さが約１８〜２６ｃｍに形成されている、頸部側袋体と、
前記頭頂側袋体と前記頸部側袋体との境界部及びその近傍部分にユーザーから見て左右方向に沿って形成されている断面略Ｖ字状の凹部であって、前記頸部側袋体から前記頭頂側袋体に近づくに従ってユーザーから離れる方向に傾斜するように形成されておりユーザーが横向き寝の姿勢にあるときにユーザーの耳部が配置される傾斜部、を含む凹部と、
を含むことを特徴とする口腔を保護する枕。
【請求項３】
ユーザーの後頭部を支持する頭頂側袋体とユーザーの耳周辺部及び頸部を支持する頸部側袋体とがユーザーから見て上下方向に並ぶように配置されて成り、或るユーザーＡの口腔を保護するために製造される枕であって、
（Ａ）前記ユーザーＡの後頭部を支持するための所定の内容物が入れられている頭頂側袋体であって、平面が細長い略長方形状に形成され、前記ユーザーＡから見て左右方向の長さが前記ユーザーＡの額の左右いずれか一方の側部から後頭部を介して前記ユーザーＡの額の左右いずれか他方の側部に至るまでの距離と略同一かこれよりも大きい長さに形成されている頭頂側袋体と、（Ｂ）前記頭頂側袋体と隣接して配置されており前記ユーザーＡの耳周辺部及び頸部を支持するための所定の内容物が入れられている頸部側袋体であって、（ａ）その上端部が前記頭頂側袋体の頸部側に接続されており、（ｂ）その平面が上下逆向きの略台形状に形成されており、（ｃ）その左右両側に「その前記頭頂側袋体の左右両端部に近い部分からそれぞれ前記ユーザーＡの胴体中央方向に向かう斜め方向の略円弧状もしくは略直線状の境界線により画されている欠損部であって前記ユーザーＡが横向きで寝るときの前記ユーザーＡの顎部と対向する欠損部」が形成されており、（ｄ）その全体の前記ユーザーＡから見て上下方向の長さが、「前記ユーザーＡの頸部の上下方向の長さ、すなわち前記ユーザーＡの耳部もしくはその周辺部から肩に至るまでの距離」と略同一の又はこれに近似する長さに、形成されており、（ｅ）その前記頭頂側袋体側に近い部分の前記ユーザーＡから見て左右方向の長さが、前記ユーザーＡの左右いずれか一方の耳部から後頭部を介して他方の耳部に至るまでの距離と近似する長さと前記頭頂側袋体のユーザーから見て左右方向の長さとのいずれかの長さに、形成されており、（ｆ）その前記頭頂側袋体側から離れている部分の前記ユーザーＡから見て左右方向の長さが、前記ユーザーＡの左右いずれか一方の顎部の後頭部側から頸部の背側を介して他方の顎部の後頭部側に至るまでの距離と略同一の長さ又はこれに近似する長さに、形成されている、頸部側袋体と、を形成すると共に、
前記頭頂側袋体と前記頸部側袋体との境界部及びその近傍部分に、前記ユーザーＡから見て左右方向に沿って形成された断面略Ｖ字状の凹部であって、「前記頸部側袋体から前記頭頂側袋体に近づくに従って前記ユーザーＡから離れる方向に傾斜しており前記ユーザーＡが横向き寝の姿勢にあるときに前記ユーザーＡの耳部が配置される傾斜部」を含む凹部を形成する、
ことにより製造される、ことを特徴とする口腔を保護する枕。
【請求項４】
請求項１から３において、
前記頭頂側袋体及び頸部側袋体の内部には、多数の天然繊維もしくは化学繊維が互いに絡み合わされることにより直径２〜７ｍｍの略球状に形成されて成る粒状体が、多数個、収容されているか、又は、ゲル状の保冷剤を封入した柔軟な袋体が１つ又は複数個、収容されている、ことを特徴とする口腔を保護する枕。
【発明の詳細な説明】
【技術分野】
【０００１】
本発明は、主として横向きの姿勢で就寝するのが癖になっている人のための枕に関する。
【背景技術】
【０００２】
従来より、横向き、仰向け、又はうつ伏せの姿勢で就寝する人のために、各姿勢に適した枕が提案されている。例えば、特許文献１は、横向き姿勢で寝るときに適した枕として、耳の部分を空洞部にした枕を提案している。これによると、横になってテレビ等を見る場合にメガネを掛けたままでも使用できる、耳が枕で押し付けられて耳が痛くならないようにできる、などの効果が得られるとされている。
【先行技術文献】
【特許文献】
【０００３】
【特許文献１】特開２０００−１３９６５５号公報
【発明の概要】
【発明が解決しようとする課題】
【０００４】
しかしながら、特許文献１が提案している枕を使用して横向き姿勢で就寝する場合、ユーザーの顎や頬も枕に当たって枕で押圧されてしまうことになるが、そのような状態が長く継続されると、口腔領域に重大な悪影響を及ぼすことが少なくない。
【０００５】
すなわち、一般に、持続的に骨に力が加わるとわずか５ｍｇの力でも破骨細胞・造骨細胞の働きにより骨が添加吸収を起こし、骨は形態を変え、歯は位置を変える、とされている。人間の頭部の重さは成人で５ｋｇ前後あり、横向き寝などで大臼歯にかかる側方からの力は３０〜２００ｇにもなる。したがって、仮に８時間、横向きで寝たとすると、１日の３分の１もの間、歯が変位し始める力（上記の５ｍｇの力）の数倍から数十倍の力が加わり続けることになるので、当然、歯は移動し、歯列の崩壊につながる。すなわち、このような横向き寝という睡眠態癖が継続すると、例えば、歯軸の傾斜、歯列の変形、咬合平面の非対称、顎位の変位、顔面の捩れなどのような、様々な口腔領域への悪影響が生じてしまう。
【０００６】
このような口腔領域への悪影響という点からは横向き姿勢での就寝は避けた方がよいといえるが、しかし、他方、横向き姿勢でないと良好な眠りに付けないという人も居る。したがって、そのような横向き寝の癖のあるユーザーのためには、横向き姿勢のときでも就寝者（ユーザー）の頭部を安定的に支持して良好な睡眠を維持できるようにしながら、同時に、横向き姿勢による口腔領域への悪影響を防止することが必要である。
本発明はこのような従来技術の課題に着目してなされたものであって、横向き姿勢のときでも、横向き寝中のユーザーの頭部を安定的に支持して、良好な睡眠を維持させながら、枕が横向き寝中のユーザーの顎部に当たることを防止して、横向きで寝るという睡眠態癖が就寝者（ユーザー）の口腔領域へ悪影響を及ぼしてしまうことを確実に防止することができる、口腔を保護する枕を提供することを目的とする。
【課題を解決するための手段】
【０００７】
このような課題を解決するための本発明による口腔を保護する枕は、ユーザーの後頭部を支持するための、所定の内容物が入れられた頭頂側袋体であって、平面が細長い略長方形状に形成され、そのユーザーから見て左右方向の長さがユーザーの額の左右いずれか一方の側部（こめかみ又はその近傍部分）から後頭部を介してユーザーの額の左右いずれか他方の側部（こめかみ又はその近傍部分）に至るまでの距離と略同一かこれよりも大きい（例えば２〜３ｃｍくらい大きい）長さ寸法に形成されている、頭頂側袋体と、ユーザーの耳周辺部及び頸部を支持するための、所定の内容物が入れられた頸部側袋体であって、（ａ）その上端部が、前記頭頂側袋体の頸部側に、これと隣接するように縫製などで接続されており、（ｂ）その平面が上下逆向きの略台形状に形成されており、（ｃ）その左右両側（左右両端部）に、その前記頭頂側袋体の左右両端部に近い部分からそれぞれユーザーの胴体中央方向に向かう斜め方向の略円弧状（曲線状）もしくは略直線状の境界線により画されている欠損部であってユーザーが横向きで寝るときの前記ユーザーの顎部と対向する欠損部、が形成されており、（ｄ）その全体のユーザーから見て上下方向の長さが「ユーザーの頸部の上下方向の長さ、すなわちユーザーの耳部もしくはその周辺部から肩に至るまでの距離」と略同一の又はこれに近似する長さ（例えばこれに１〜２ｃｍだけプラス又はマイナスして成る近似する長さ）に形成されており、（ｅ）その前記頭頂側袋体側に近い部分のユーザーから見て左右方向の長さがユーザーの左右いずれか一方の耳部から後頭部を介して他方の耳部に至るまでの距離と略同一の又はこれに近似する長さ（例えばこれに１〜２ｃｍだけプラス又はマイナスして成る近似する長さ）に形成されており、（ｆ）その前記頭頂側袋体側から離れている部分のユーザーから見て左右方向の長さがユーザーの左右いずれか一方の顎部の後頭部側から頸部の背側を介して他方の顎部の後頭部側に至るまでの距離と略同一の又はこれに近似する長さ（例えばこれに１〜２ｃｍだけプラス又はマイナスして成る近似する長さ）に形成されている、頸部側袋体と、前記頭頂側袋体と前記頸部側袋体との境界部及びその近傍部分にユーザーから見て左右方向に沿って形成されている断面略Ｖ字状の凹部であって、前記頸部側袋体から前記頭頂側袋体に近づくに従ってユーザーから離れる方向に傾斜するように形成されておりユーザーが横向き寝の姿勢にあるときにユーザーの耳部が配置される傾斜部、を含む凹部と、を含むことを特徴とするものである。
【０００８】
また、本発明においては、前記頭頂側袋体及び頸部側袋体の内部に、多数の天然繊維もしくは化学繊維が互いに絡み合わされることにより直径２〜７ｍｍの略球状に形成されて成る粒状体が、多数個、収容されている、ことが望ましい。さらに、本発明においては、前記頭頂側袋体及び頸部側袋体の内部に、ゲル状の保冷剤を封入した柔軟な袋体が１つ又は複数個、収容されている、ことが望ましい。
【発明の効果】
【０００９】
１．本発明による作用効果
（１）本発明の上記構成（上記の頭頂側袋体、頸部側袋体、及び、凹部）によれば、ユーザー（就寝者）が本発明に係る枕を使用して横向きで就寝するとき、詳しくは後述するように、ユーザーの頭部と頸部側袋体との上下方向及び左右方向の位置関係が常に一定に保つことができる。
（２）よって、本発明によれば、ユーザーが横向き寝の姿勢のときでも、
（ａ）ユーザーの頭部の顎から前方を除く部分（額の側後部と耳周辺部と頸部）が、常に、前記頭頂側袋体及び前記頸部側袋体の上に確実に配置されるため、ユーザーの頭部を常に安定的に支持することができると共に、
（ｂ）ユーザーの顎部（歯に対向する部分）が前記欠損部（空洞部）に確実に対向されるため、『ユーザーの顎部が枕に当たること』が無くなり、ユーザーの顎部が枕によって圧迫されてしまう（前記圧迫により歯列が変形してしまう）ことが確実に防止することができる。
（３）すなわち、ユーザーの横向き寝の睡眠態癖がユーザーの口腔領域（歯列・顎部）へ悪影響を及ぼしてしまうことを防止するためには、「枕がユーザーの顎部に『当たらない』（枕が顎部を圧迫しない）」ようにすればよいが、単純に「ユーザーの顎部に『当たらない』（顎部を圧迫しない）ような枕」を作製しても、そのような枕ではユーザーの頭部を安定的に支持して快適な眠りを享受することができない。
そこで、本発明においては、前述のような特別の構成（上記の頭頂側袋体、頸部側袋体、及び、凹部）を採用することにより、ユーザーの頭部と頸部側袋体との上下方向及び左右方向の位置関係を常に一定に保てるようにし、これにより、ユーザーの頭部を安定的に支持しながら同時に「枕がユーザーの顎部に『当たらない』（＝枕が顎部を圧迫しない）」ようにすることを可能にした、ものである。
（４）以上、要するに、本発明によれば、（ａ）就寝者（ユーザー）が横向き姿勢のときでも、横向き寝中のユーザーの頭部を安定的に支持して、良好な睡眠を維持させながら、同時に、（ｂ）枕が横向き寝中のユーザーの顎部に『当たる』ことを防止して、横向きで寝るという睡眠態癖が就寝者（ユーザー）の口腔領域へ悪影響を及ぼしてしまうことを確実に防止する、ことができるようになる。
【００１０】
２．本発明による作用効果の詳細
本発明による作用効果の詳細を述べると、次のとおりである。
（１）ユーザーの頭部と頸部側袋体との上下方向の位置関係
本発明においては、ユーザーの耳周辺部及び頸部を支持する前記頸部側袋体の全体のユーザーから見て上下方向の長さが、「ユーザーの頸部の上下方向の長さ、すなわちユーザーの耳部もしくはその周辺部から肩に至るまでの距離」と略同一の又はこれに近似する長さに形成されているので（また、さらに、前記頸部側袋体２はユーザーの頸部（耳部から肩までの部分）の背側や側部の凹形状に適合する盛り上がり形状（凸形状）を有しているので）、前記頸部側袋体は、常に、ユーザーの耳周辺部と肩との間に挟まれた状態に位置決め・保持されることになる。その結果、前記頸部側袋体とユーザーの頭部（特に、その耳周辺部及び頸部）とのユーザーから見て上下方向の位置関係は、常に、一定に保持（位置決め）されるようになる。
また、本発明においては、前記頭頂側袋体と前記頸部側袋体との境界部の周辺に、ユーザーから見て左右方向に沿って形成されている断面略Ｖ字状の凹部が形成されており、ユーザーが仰向け又は横向きの姿勢で寝ているときは、常に、ユーザーの後頭部又は側頭部の最も突出した部分（凸状部分）が前記凹部に入り込むようになるので、この点からも、ユーザーの後頭部又は側頭部の最も突出した部分（凸状部分）が前記凹部との関係で常に位置決めされることになり、その結果、前記頸部側袋体とユーザーの頭部（特に、その耳周辺部及び頸部）との上下方向の位置関係が、常に、一定に保持（位置決め）されるようになる。
【００１１】
（２）ユーザーの頭部と頸部側袋体との左右方向の位置関係
また、本発明においては、ユーザーの耳周辺部及び頸部を支持する前記頸部側袋体の前記頭頂側袋体側に近い部分のユーザーから見て左右方向の長さが「ユーザーの左右の一方の耳部から後頭部を介して他方の耳部に至るまでの距離」と略同一の又はこれに近似する長さに形成されており、且つ、その前記頭頂側袋体側から離れている部分の左右方向の長さが「ユーザーの顎部の後ろ側から左右の一方の頸部の背側を介して他方の顎部の後ろ側に至るまでの距離」と略同一の又はこれに近似する長さに形成されているので、ユーザーが（仰向け寝の姿勢を介して）横向き寝の姿勢になったときは、常に、ユーザーの耳部から顔前方に向かう側（つまり顎部）が前記欠損部（空洞部）に対向し、ユーザーの顎部が枕に当接しない（ユーザーの顎部が前記欠損部に対向する）ことになる。
【００１２】
（３）傾斜部の作用効果
また、本発明においては、前記頸部側袋体の前記頭頂側袋体に近い部分に、ユーザーが横向き寝の姿勢にあるときにユーザーの耳部が配置される傾斜部が形成されているので、ユーザーが横向き寝の姿勢をとるときは、常に、ユーザーの耳部が前記傾斜部の中に入り込むので、ユーザーは耳が枕に圧迫されることによる痛み又は不快感を感じることがなくなると共に、ユーザーの耳部が常に前記傾斜部の中に入り込む（位置決めされる）ことによりユーザーの耳部と前記傾斜部すなわち前記頸部側袋体との位置関係が常に一定に保持（位置決め）される。よって、ユーザーが横向き寝の姿勢になったときは、常にユーザーの顎部が前記欠損部（空洞部）に対向（位置決め）されて、ユーザーの顎部が枕で圧迫されて力が加えられてしまうことが、より確実に防止されるようになる。なお、本発明において、前記傾斜部は、前記凹部の一部を構成するものである。
【００１３】
このように、本発明においては、前記頸部側袋体とユーザーの頭部（特に、その耳部及び頸部）との、上下方向の位置関係、及び左右方向の位置関係が、常に一定に保持（位置決め）され、且つ、ユーザーが横向き寝の姿勢になったときはユーザーの耳部から顔前方に向かう側（つまり顎部を含む部分）が常に前記欠損部に対向する（前記枕がユーザーの顎部に当たらない）ことになる。よって、本発明によれば、ユーザーが左右いずれかの横向きで就寝するとき、ユーザーの顎部が枕で圧迫されて力が加えられ口腔領域に悪影響が生じてしまうこと（歯列の変位など）を、常に、確実に防止できるようになる。
【００１４】
３．本発明による他の作用効果
さらに、本発明において、前記頭頂側袋体及び頸部側袋体の内部に、多数の天然繊維もしくは化学繊維が互いに絡み合わされることにより直径２〜７ｍｍの略球状に形成されて成る粒状体が、多数個、収容（封入）されるようにしたときは、ユーザーの頭部に対応する部分が必要以上に凹むことがなく、ユーザーの頭部を安定的に保持して快適な睡眠を促進することができる。また、本発明において、前記頭頂側袋体及び頸部側袋体の内部に、ゲル状の保冷剤を封入した柔軟な袋体が１つ又は複数個、収容するようにしたときは、頭部を安定的に保持しながら頭部を冷却して睡眠導入を促進することができる。
【図面の簡単な説明】
【００１５】
【図１】本発明の実施例１による口腔を保護する枕を示す斜視図である。
【図２】（ａ）は本実施例１の平面図、（ｂ）はそれを布団かベッド・マットレスに置いたときの中央断面図である。
【図３】本実施例１を頸部側袋体の側から見たときの正面図である。
【図４】本実施例１の動作を説明するための図で、ユーザーが仰向けの姿勢で寝ているときの状態を示す平面図である。
【図５】本実施例１の動作を説明するための図で、ユーザーが仰向けの姿勢で寝ているときの状態を示す側面図である。
【図６】本実施例１の動作を説明するための図で、ユーザーが横向き（右向き）の姿勢で寝ているときの状態を示す平面図である。
【図７】本実施例１の動作を説明するための図で、ユーザーが横向き（右向き）の姿勢で寝ているときの状態を示す側面図である。
【図８】本実施例１の動作を説明するための図で、ユーザーが横向き（左向き）の姿勢で寝ているときの状態を示す平面図である。
【図９】本実施例１の動作を説明するための図で、ユーザーが横向き（左向き）の姿勢で寝ているときの状態を示す側面図である。
【図１０】本実施例１の比較例による枕を使用して横向きの姿勢で寝たときの動作（不都合・問題点）を説明するための図である。
【図１１】本発明の実施例２による口腔を保護する枕を示す斜視図である。
【図１２】（ａ）は本実施例２の平面図、（ｂ）はそれを布団かベッド・マットレスに置いたときの中央断面図である。
【図１３】本実施例２を頸部側袋体の側から見たときの正面図である。
【発明を実施するための形態】
【００１６】
本発明を実施するための最良の形態は、以下の実施例１について述べるような形態である。
【実施例１】
【００１７】
１．実施例１の構成
図１は本発明による口腔を保護する枕を示す斜視図、図２（ａ）は本実施例１による枕の平面図、図２（ｂ）はそれを布団かベッド・マットレスに置いたときの中央断面図、図３は本実施例１による枕を前記頸部側袋体側から見た正面図（本実施例１が空間に浮かんでいるときの状態を仮想的に示す図）、である。
図１−３において、１はユーザーの後頭部を支持するための（ユーザーの頭部の後部又は側部の頭頂側を載せるための）頭頂側袋体、２はユーザーの耳周辺部及び頸部を支持するための（「ユーザーの、頸部の後ろ側を含む、耳周辺部から肩までの間の部分」を載せるための）頸部側袋体、である。前記頭頂側袋体１と前記頸部側袋体２には、それぞれ、袋体を開閉するためのファスナーを含む開閉部１１，１２が形成されている。
なお、本実施例１では、予め用意された一つの袋体の中央（図１，２の境界部３）の上下の布を縫製することにより、これを２つの袋体に分離し、分離したそれぞれを前記頭頂側袋体１及び前記頸部側袋体２としている。
【００１８】
本実施例１において、前記頭頂側袋体１と前記頸部側袋体２の内部に、前記開閉部１１，１２を介して、内容物（詰め物）として、多数の天然繊維を互いに絡み合わせることにより直径２〜７ｍｍの略球状に形成して成る粒状体（粒状ウール）を、多数個、充填・封入（収容）している。本実施例１では、この粒状体として、例えば有限会社小池経編染工所（群馬県足利市西宮町２８３３）製の粒状ウールである「Ｌｅ  Ｂｅｒｃｅａｕ  Ｂｌａｎｃ（ル・ベルソ・ブラン）」（商標）を、前記頭頂側袋体１と前記頸部側袋体２の内部に充填・封入（収容）している。（このように繊維製の粒状ウールを前記頭頂側袋体１と前記頸部側袋体２の内部に充填・封入するようにしたときは、これらを使用するユーザーの頭部を安定的に保持して快適な睡眠を促進することができる）。
なお、本実施例１では、前記の繊維を封入した柔軟な袋体に代えて、ゲル状の保冷剤を封入した柔軟な袋体を使用するようにしてもよい。このゲル状の保冷剤としては、例えば、透明なゲル状保冷剤をビニール袋に封入して成るパール金属株式会社（新潟県三条市五明１９０）製の「ＣＯＯＬ  ＴＩＭＥ（クールタイム）」（商標）などを採用することができる（このように保冷剤を封入した柔軟な袋体を前記頭頂側袋体１と前記頸部側袋体２の内部に入れるようにしたときは、これらを使用するユーザーの頭部を安定的に保持しながら頭部を冷却して睡眠導入を促進することができる）。
また、本実施例１では、前記繊維を封入した袋体や繊維を封入した袋体に代えて、従来の枕で使用されている樹脂製の微小リング、ビーズ、そば殻などの詰め物（内容物）を前記頭頂側袋体１と前記頸部側袋体２の内部に収容するようにしてもよい。
【００１９】
また、図２（ａ）に示すように、前記頭頂側袋体１は、その平面が略長方形状に形成されており、その図示左右方向の長辺の長さが、ユーザーの額の左右いずれか一方の側部（こめかみ又はその近傍部分）から後頭部を介してユーザーの額の左右いずれか他方の側部（こめかみ又はその近傍部分）に至るまでの距離（例えば約３０〜３６ｃｍ）又はそれよりも大きい長さ（例えば横に長いタイプの枕で一般的なサイズである約６０ｃｍ以下）、すなわち約３０〜６０ｃｍ（より望ましくは約３０〜５０ｃｍ）の長さに、本実施例では約４２ｃｍに、形成されている。また、前記頭頂側袋体１の図示上下方向の短辺は、ユーザーの後頭部を支持するために十分な長さに、例えば約８〜２０ｃｍの長さに、より望ましくは約８〜１５ｃｍの長さに、本実施例では約９．５ｃｍに、形成されている（なお前記の約９．５ｃｍは、内部に内容物を封入しているときの平面から見たときのサイズであり、内容物を封入していないときの同短辺の長さは約１１ｃｍとなる）。
【００２０】
また、図２（ａ）に示すように、前記頸部側袋体２は、その平面の全体が逆向きの略台形状に形成されている。また、前記頸部側袋体２は、その図示上下方向の長さが、「ユーザーの頸部の長さ、すなわちユーザーの耳部もしくはその周辺部から肩に至るまでの距離」と略同一の長さ又はこれに近似する長さに、例えば約９〜１５ｃｍに、より望ましくは約１０〜１４ｃｍに、本実施例では約１２ｃｍに、形成されている（なお前記の約１２ｃｍは、内部に内容物を封入しているときの平面から見たときのサイズであり、内容物を封入していないときの同上下方向の長さは約１４ｃｍである。本明細書で述べるサイズが原則として「内部に内容物を封入しているときの平面から見たときのサイズ」を示していることは以下も同様である）。
【００２１】
また、図２（ａ）に示すように、前記頸部側袋体２は、その上辺（その前記頭頂側袋体１に接する部分の辺＝後述の境界部３に沿う左右方向の辺）２ａの図示左右方向の長さが、ユーザーの左右一方の耳部から後頭部を介して他方の耳部に至るまでの距離と略同一の長さ（例えば約３０〜３４ｃｍ）若しくはこれと近似する長さ（例えば約２８〜３８ｃｍ）と前記頭頂側袋体１のユーザーから見て左右方向の長さと略同一の長さ（前述のように例えば約３０〜６０ｃｍ）とのいずれかの長さに、例えば約２８〜６０ｃｍ（又は約３０〜６０ｃｍ）に、より望ましくは約２８〜５０ｃｍに、本実施例では前記頭頂側袋体１の長辺と同じ約４２ｃｍに、形成されている（図２（ａ）では約４２ｃｍの場合を表示している）。
また、前記頸部側袋体２は、その前記頭頂側袋体１側に近い部分（前記頭頂側袋体１と接する前記辺２ａの部分より少し図示下方の部分。図２の符号５で示す部分の一部）の図示左右方向の長さが、ユーザーの左右一方の耳部から後頭部を介して他方の耳部に至るまでの距離と略同一の長さ（例えば約３０〜３４ｃｍ）若しくはこれに近似する長さ（前記上辺２ａよりも短い長さである、例えば約２６〜３６ｃｍ）に、形成されている。
また、前記頸部側袋体２は、その下辺（その前記頭頂側袋体１側から離れている部分）２ｂの図示左右方向の長さが、ユーザーの左右一方の顎部の後頭部側から頸部の背側を介して他方の顎部の後頭部側に至るまでの距離と略同一の長さ（例えば約２０〜２４ｃｍ）又はこれに近似する長さ（例えば約１８〜２６ｃｍ（又は約２０〜２６ｃｍ））に、本実施例では２３ｃｍに、形成されている。
【００２２】
また、図２（ｂ）に示すように、前記頭頂側袋体１は、その厚さが例えば３．５ｃｍに形成されている。また、前記頸部側袋体２は、その厚さが例えば４．５ｃｍに形成されている。このように、本実施例１では、前記頭頂側袋体１の厚さよりも前記頸部側袋体２の厚さをより大きく形成するようにしている（図３も参照）が、これは、特に横向き寝の姿勢のときのユーザーの頸部（首）と肩の段差を前記頸部側袋体２で十分に吸収できるようにして、ユーザーの頸部（首）と肩を安定的に支持できるようにするためである。
【００２３】
また、図１−２において、３は前記頭頂側袋体１と前記頸部側袋体２との境界部（仕切り線部）、４は前記頸部側袋体２の図示左右の両端部にそれぞれ形成された、円弧を含む円板（円形）の一部のような形状（もしくは略三角形状）、の欠損部（空洞部）、である。前記欠損部４は、図２（ａ）に示すように、前記頸部側袋体２の図示左右上方の両端部（前記頭頂側袋体１の近く又はこれと接する部分）４ａからその図示中央寄りの斜め下方（ユーザーの胴体中央方向）にある左右両下端部４ｂにそれぞれ向かう湾曲した略円弧状の曲線４ｃにより、切り欠かれている（前述のような湾曲した略円弧状の曲線４ｃにより、前記欠損部４の前記頸部側袋体２との境界が、画されている）。これにより、前記欠損部４は、図示のような、円弧を含む円板（円形）の一部のような形状、に形成されている（なお、本発明では、前記略円弧状の曲線４ｃは略直線でもよいし、前記欠損部４は、円板（円形）の一部のような形状ではなく略三角形状でもよい）。
【００２４】
また、図２（ａ）（ｂ）において、５は、前記頸部側袋体２の前記境界部３の近傍部分（図２（ａ）の破線による斜線部分を参照）に形成されている、他の部分よりも薄く且つ前記境界部３に向かって傾斜（斜めに下降）している傾斜部である。なお、図２（ｂ）において、１３は布団またはベッド・マットレスである。また、図２において、前記頭頂側袋体１と前記頸部側袋体２との境界部３の近傍部分に凹部６が形成されており、ユーザーが仰向け又は横向きで寝ているときは、常に、ユーザーの後頭部又は側頭部の最も突出した部分（耳の周辺部を含む）が前記凹部６に入り込むようになっている。なお、本実施例１において、前記傾斜部５は、前記凹部６の一部を構成するものである。
【００２５】
２．実施例１の動作
次に、本実施例１の動作を図４−９に基づいて説明する。
（１）ユーザー１０の頭部と前記頸部側袋体２との上下方向の位置関係
まず図４，５はユーザーが本実施例１の枕を使用して横向き寝の姿勢を採る前段階としての仰向けの姿勢を採っている状態を示す図である。図４，５においては、ユーザー１０は、頸部（首）と耳部１０ａの後ろ側を前記頸部側袋体２の上に載せると共に、後頭部の頭頂側を前記頭頂側袋体１の上に載せている。この状態では、図４，５から示唆されるように、本実施例１では、前記頭頂側袋体１及び前記頸部側袋体２の図示上下方向の長さは、ユーザー１０の頭部の図示上下方向の長さ（＝ユーザーの頭頂から頸部を介して肩に達するまでの長さ）と略一致している。
【００２６】
また、図４から示されるように、本実施例１では、前記頸部側袋体２の図示上下方向の長さが「ユーザーの頸部の上下方向の長さ、すなわちユーザーの耳部１０ａの上端部近傍から肩１０ｂに至るまでの距離」と略同一の又はこれに近似する長さ（本実施例１では前述のように約１２ｃｍ）に形成されている。その結果、前記頸部側袋体２は、常に、ユーザーの耳部１０ａと肩１０ｂとの間に挟まれて、常にユーザー１０の頸部に対向するようになっている。そして、さらに、前記頸部側袋体２は、その盛り上がり凸状部分（図５において前記頸部側袋体２の中央の厚さの大きい部分）が、常に、ユーザーの頸部（耳部から肩までの部分）の背側や側部の凹形状に対向・適合するようになっている。したがって、本実施例１では、ユーザー１０の頭部が本実施例１の上で仰向けから左右いずれかの横向きに姿勢を変えられても、あるいはその後にユーザーが就寝中に無意識下に動いても、ユーザー１０の頭部（特に、その耳周辺部及び頸部）と前記頸部側袋体２との上下方向の位置関係は、常に、一定に保持（位置決め）されるようになっている。
【００２７】
また、本実施例１においては、前記頭頂側袋体１と前記頸部側袋体２との境界部３に前記凹部６が形成されており、ユーザーが仰向け又は横向きに寝ているときは、常に、ユーザーの後頭部又は側頭部の最も突出した部分が前記凹部６に入り込むようになるので、この点からも、ユーザーの後頭部又は側頭部の最も突出した部分が前記凹部６との関係で常に安定的に位置決めされることになる結果、前記頸部側袋体２とユーザーの耳部１０ａの周辺部及び頸部との上下方向の位置関係が、常に、一定に保持（位置決め）されるようになっている。
【００２８】
（２）ユーザー１０の頭部と前記頸部側袋体２との左右方向の位置関係
また、図４に示すように、本実施例１では、前記頸部側袋体２の図示下方部分（前記下辺２ｂ）の図示左右方向の長さが「ユーザーの左右いずれか一方の顎部の後ろ側から頸部の背側を介してユーザーの左右いずれか他方の顎部の後ろ側に至るまでの距離」と略同一の又はこれに近似する長さ（本実施例１では前述のように約２３ｃｍ）に形成されている。したがって、本実施例１においては、ユーザー１０の頭部が本実施例１の上で仰向けから左右いずれかの横向きの姿勢を変えられても、あるいはその後にユーザーが就寝中に無意識下に頭部を左右方向に回転させても、ユーザー１０の顎部１０ｃは、常に、前記頸部側袋体２の前記欠損部（空洞部）４に対向するようになっている（図６，図８参照）。
【００２９】
また、図４に示すように、本実施例１では、前記頸部側袋体２の前記頭頂側袋体１に近い部分（前記傾斜部５）の図示左右方向の長さが、「ユーザー１０の一方の耳部１０ａから後頭部を介して他方の耳部１０ａに達する距離」と略同一か近似の寸法（本実施例１では前述のように約３４ｃｍ）に、形成されている。したがって、本実施例１においては、ユーザー１０の頭部が本実施例１の上で仰向けから左右いずれかの横向きに姿勢を変えられたとき（ユーザーの頭部が左右方向に回転したとき）でも、ユーザー１０の右側または左側の耳部１０ａがちょうど前記頸部側袋体２の図示上方の傾斜部５（他の部分より薄く傾斜している部分）の左右いずれかの端部に配置されるようになっている（図６，図８参照）。
【００３０】
このように、本実施例１によるときは、ユーザー１０の頭部（特に、その右側または左側の耳部１０ａ及び頸部）と前記頭頂側袋体２との左右方向の位置関係が常に一定に保持（位置決め）され、その結果、ユーザー１０が横向きの姿勢で寝るときでも、あるいはその後にユーザーが就寝中に無意識下に頭部を左右方向に回転させても、ユーザーの顎部１０ｃが常に前記欠損部４に対向するようになっており、ユーザー１０の顎部１０ｃが枕に当たることが無くなり、ユーザー１０の顎部１０ｃが枕で押圧されてしまうことが常に確実に防止できるようになっている。
【００３１】
（３）傾斜部５の技術的意義
また、本実施例１では、前記傾斜部５を形成することにより、ユーザー１０の頭部が本実施例１の上で仰向けから左右いずれかの横向きに姿勢を変えられたとき（ユーザーの頭部が左右方向に回転したとき）でも、前述のようにユーザーの頭部と前記頸部側袋体２との上下方向の位置関係が常に一定に保持（位置決め）される結果、ユーザー１０の耳部１０ａは常に前記傾斜部５に対向するようになるので、ユーザー１０は、耳部１０ａが枕で圧迫されることによる痛みや不快感を感じなくて済むようになっている。
【００３２】
（４）実施例１の動作まとめ
以上のように、本実施例１においては、前記頸部側袋体２を前述のような形状及びサイズに形成することにより、ユーザー１０の頭部（特に、その耳周辺部及び頸部）と前記頸部側袋体２との上下方向及び左右方向の位置関係を、たとえユーザー１０の頭部の姿勢が就寝中に無意識下に左右方向に回転しても、常に一定に保持（位置決め）できるようにしている。
よって、本実施例１においては、横向きで就寝中のユーザー１０の頭部の中の「額の左右の各側部、左右の各耳部１０ａとその周辺部、及び、頸部（後頭部側の頸部）」は、常に、前記頭頂側袋体１及び前記頸部側袋体２の上に配置される（例えば、ユーザー１０の左右の各耳部１０ａは、前記傾斜部５に常に対向・当接する）ので、ユーザーの頭部は前記頭頂側袋体１及び前記頸部側袋体２により、常に、安定的に支持され、これによりユーザーの良好な眠りが確保されるようになる。
また、本実施例１によれば、就寝中のユーザー１０がその頭部の姿勢を無意識に仰向けから横向きにした場合（頭部を左右方向に回転させた場合）などにおいても、ユーザー１０の「顎部（歯列などに対向する部分）１０ｃ」は、常に、前記欠損部（空洞部）４に対向するようになるので、横向き寝のときにユーザーの顎部１０ｃが枕に当たってユーザーの顎部１０ｃが枕で圧迫されることが無くなり、前記顎部１０ｃを含む口腔領域が枕からの押圧の力で悪影響を受けてしまうこと（歯列の変位など）が確実に防止されるようになる。
【００３３】
また、本実施例１においては、２つの分離した袋体１，２に関して、例えば前記頭頂側袋体１の最大厚み（例えば３．５ｃｍ）よりも前記頸部側袋体２の最大厚み（例えば４．５ｃｍ）の方を、より大きく形成するようにしている。これにより、本実施例１では、例えば図７，図９に示すように、ユーザー１０が横向きの姿勢で寝るときに、ユーザー１０の肩１０ｂの厚さを前記頸部側袋体２の厚さで吸収することができるので、ユーザー１０は、横向きでも、自然な姿勢で楽に就寝することができる。
【００３４】
３．比較例について
次に、図１０は本実施例１の比較例の枕２１を説明するための図である。すなわち、この比較例（公知例ではない）は、本実施例１のように「前記頭頂側袋体１と前記頸部側袋体２との２つに分離してそれらの境界部３の周辺に凹部６を形成した枕」ではなく、図１０に示すように単にその図示左右下端部にそれぞれ略円弧状の曲面２１ａにより画される欠損部（空洞部）２１ｂを形成した枕２１である。以下では、このような比較例の枕を想定し、これ使用して横向き寝をする場合の動作（問題点）を説明する。
【００３５】
（１）ユーザー１０の頭部と比較例との上下方向の位置関係
この図１０に示す比較例の枕２１においては、本実施例１におけるようなユーザーの耳周辺部（上方）と肩（下方）との間の頸部に対向する「独立の（頭頂側袋体とは別個の）頸部側袋体」（本実施例１に関する図５の符号２参照）は、存在していない。したがって、この比較例の枕２１においては、ユーザーの頸部（耳部から肩までの部分）の凹形状の部分に対応・適合する盛り上がり凸状部分（図５などに示すような、本実施例１の頸部側袋体２が有している盛り上がり部分）が、存在していない。また、この比較例においては、本実施例１におけるようなユーザーの後頭部又は側頭部の最も突出している凸状部分が入り込む凹部（図５に示す、頭頂側袋体１と頸部側袋体２との間の凹部６）も、存在していない。
【００３６】
したがって、この比較例の枕２１においては、ユーザーの頸部と比較例の枕との「上下方向の位置関係」は、常に一定することがなく、就寝中のユーザーの無意識下での動きにより常にランダムに変動してしまう。そのため、このような比較例２１を使用するときは、当初は、図１０（ａ）に示すようにユーザー１０の耳部１０ａの斜め下方の顎部（歯列に対向する部分）１０ｃが前記欠損部（空洞部）２１ｂに対向する正しい位置にあっても、その後、就寝中におけるユーザー１０の無意識下の動きにより、前記ユーザー１０の顎部１０ｃが図示上方にずれてしまい、図１０（ｂ）に示すような状態、すなわちユーザー１０の耳部１０ａの斜め下方の顎部１０ｃが前記欠損部（空洞部）４に対向しないで枕に対向・当接し圧迫される状態になってしまい、ユーザーの横向き寝という態癖がユーザーの口腔領域に重大な悪影響を及ぼしてしまう恐れがある。
【００３７】
（２）ユーザー１０の頭部と比較例との左右方向の位置関係
また、図１０に示す比較例の枕２１においては、図示下側部分の図示左右方向の長さが前記実施例１の頸部側袋体２の下側部分（頭頂側袋体１から離れている部分）におけるように「ユーザーの左右いずれか一方の顎部の後ろ側から頸部の背側を介してユーザーの左右いずれか他方の顎部の後ろ側に至るまでの距離」と略同一の又はこれに近似する長さ（本実施例１では前述のように約２３ｃｍ）に形成されている訳ではない。また、この比較例２１においては、図示中央部分の図示左右方向の長さは、前記実施例１の頸部側袋体２の傾斜部５（図２（ａ）の符号５参照）の図示左右方向の長さのように「ユーザー１０の一方の耳部１０ａから後頭部を介して他方の耳部１０ａに達する距離」と略同一か近似の寸法（本実施例１では前述のように約３４ｃｍ）に形成されている訳ではない。したがって、この比較例を使用するときは、就寝中におけるユーザー１０の無意識下の動きにより、前記ユーザー１０の耳部１０ａが左右方向にずれてしまい、図１０（ｃ）に示すような状態、すなわち、ユーザー１０の耳部１０ａまでもが前記欠損部（空洞部）２１ｂに対向している状態になってしまうことがあり得る（このように、耳部１０ａまでもが前記欠損部に対向する場合は、比較例の枕２１がユーザーの頭部を安定的に支持することができず、ユーザーに良好な眠りを与えることができないので、ユーザー１０は無意識下でも、自らの頭部を例えば図示上方にずらして、図１０（ｂ）などの不都合な状態に移行させてしまう恐れがある）。
【００３８】
（３）比較例の動作のまとめ
以上の（１）（２）から明らかなように、図１０のような比較例の枕２１を使用する場合は、ユーザーが横向きの姿勢で寝るときに、ユーザーの頭部を安定的に支持してユーザーに良好な眠りを与えることも、ユーザーの顎部が枕により圧迫されてユーザーの口腔に悪影響を与えることを防止することも、全く期待できない。
【実施例２】
【００３９】
次に、図１１は本発明の実施例２を示す斜視図、図１２（ａ）は本実施例２を示す平面図、図１２（ｂ）はその縦方向断面図、図１３は本実施例２を示す正面図である。本実施例２は前記実施例１の構成と基本的に同じであるが、次の点で異なっている。すなわち、本実施例２では、図１２（ａ）に示すように、ユーザーの頭部を支持する頭頂側袋体１は、その平面が略長方形状に形成されており、その図示左右方向の長辺は、ユーザーの額の左右いずれか一方の側部（こめかみ又はその近傍部分）から後頭部を介して他方の側部（こめかみ又はその近傍部分）に至るまでの距離（例えば３２〜３４ｃｍ）と略同一の長さ（例えば前記距離に１〜２ｃｍだけプラス又はマイナスして成る近似する長さ）、例えば約３４ｃｍに形成されている。また、本実施例２では、図１２（ａ）に示すように、ユーザーの頸部を支持する頸部側袋体２は、その図示左右方向の上辺（その前記頭頂側袋体１側に近い部分の左右方向の辺）２ａが、ユーザーの左右一方の耳部から後頭部を介して他方の耳部に至るまでの距離（例えば３２〜３４ｃｍ）と略同一の長さ（例えば前記距離に１〜２ｃｍだけプラス又はマイナスして成る近似する長さ）、例えば約３４ｃｍ（前記頭頂側袋体１の長辺とほぼ同じ３４ｃｍ）に、形成されている。これらの点以外については、本実施例２と前記実施例１と同様である。よって、この本実施例２によっても前記実施例１と同様の作用効果を奏することができる。
【実施例３】
【００４０】
以上に説明した実施例１，２は、多数のユーザーの頭部の標準的な形やサイズを想定して、それに対応するように、例えば子供用、大人の女性用、大人の男性用、あるいはＳ，Ｍ，Ｌなどの予め設定した複数の標準的な形・サイズにそれぞれ適合するように枕を設計し、大量生産し、多数のユーザーに販売することを想定したものである。これに対して、本実施例３は個々の特定のユーザーＡ毎にその頭部の形やサイズを測定してその個々のユーザーＡの頭部の形やサイズに適合するように個別に枕を作製することを想定するものである。
【００４１】
すなわち、本実施例３の製造方法は、（Ａ）個々の或るユーザーＡの後頭部を支持するための所定の内容物が入れられている頭頂側袋体１であって、平面が細長い略長方形状に形成され、前記ユーザーＡから見て左右方向の長さが前記ユーザーＡの額の左右いずれか一方の側部から後頭部を介して前記ユーザーＡの額の左右いずれか他方の側部に至るまでの距離と略同一かこれよりも大きい長さ寸法に形成されている頭頂側袋体１と、（Ｂ）前記頭頂側袋体１と隣接して配置されており前記ユーザーＡの耳周辺部及び頸部を支持するための所定の内容物が入れられている頸部側袋体２であって、（ａ）その上端部が前記頭頂側袋体１の頸部側に接続されており、（ｂ）その平面が上下逆向きの略台形状に形成されており、（ｃ）その左右両側に「その前記頭頂側袋体１の左右両端部に近い部分からそれぞれ前記ユーザーＡの胴体中央方向に向かう斜め方向の略円弧状もしくは略直線状の境界線により画されている欠損部４であって前記ユーザーＡが横向きで寝るときの前記ユーザーＡの顎部と対向する欠損部（空洞部）４」が形成されており、（ｄ）その全体の前記ユーザーＡから見て上下方向の長さが、「前記ユーザーＡの頸部の上下方向の長さ、すなわち前記ユーザーＡの耳部もしくはその周辺部から肩に至るまでの距離」と略同一の又はこれに近似する長さに、形成されており、（ｅ）その前記頭頂側袋体１側に近い部分の前記ユーザーＡから見て左右方向の長さが、前記ユーザーＡの左右いずれか一方の耳部から後頭部を介して他方の耳部に至るまでの距離と近似する長さと前記頭頂側袋体１のユーザーから見て左右方向の長さと略同一の長さとの間のいずれかの長さに、形成されており、（ｆ）その前記頭頂側袋体１側から離れている部分の前記ユーザーＡから見て左右方向の長さが、前記ユーザーＡの左右いずれか一方の顎部の後頭部側から頸部の背側を介して他方の顎部の後頭部側に至るまでの距離と略同一の長さ又はこれに近似する長さに、形成されている、頸部側袋体２と、を形成すると共に（このような頭頂側袋体１と頸部側袋体２とを形成することと同時に又は相前後して）、前記頭頂側袋体１と前記頸部側袋体２との境界部３及びその近傍部分に、前記ユーザーＡから見て左右方向に沿って形成された断面略Ｖ字状の凹部６であって、「前記頸部側袋体２から前記頭頂側袋体１に近づくに従って前記ユーザーＡから離れる方向に傾斜しており前記ユーザーＡが横向き寝の姿勢にあるときに前記ユーザーＡの耳部が配置される傾斜部５」を含む凹部６を形成する、というものである。
【００４２】
この実施例３の上記製造方法により製造される枕は、前記実施例１又は２で述べたものと同じ形状を有するものであり、実施例１，２との違いは、実施例３が仮想的なユーザーではなく個々の具体的なユーザーＡに適合するように作製されたものである、ということだけである。この実施例３の上記製造方法により製造される具体的な枕は、実施例１，２に関して説明し且つ図１−９及び図１１−１３に図示した枕と同様のものである。図１−９及び図１１−１３に示す枕において、この実施例３では、図４−９のユーザー１０が仮想的なユーザーではなく個々の具体的なユーザーＡであることが実施例１，２と異なる点である。なお、本実施例３の枕を製造する場合、前記頭頂側袋体と頸部側袋体とは、それぞれ別個に作製してそれらを縫製などで接続するようにしてもよいし、１つの袋体を作成して、そのユーザーから見て上下方向の略中央部分で縫製などで区切って上方部分を頭頂側袋体１とし下方部分を頸部側袋体２として、本実施例３の枕を形成するようにしてもよい。
【００４３】
以上、本発明の各実施例について説明したが、本発明は前記の各実施例として述べたものに限定されるものではなく、様々な修正及び変更が可能である。例えば、前記実施例１においては、前記頭頂側袋体１と前記頸部側袋体２とを、予め用意した一つの袋体の略中央部（ユーザーから見て上下方向の略中央部分）の上下の２つの布を互いに縫製することによりユーザーから見て上方部分と下方部分の２つの袋体に仕切ることにより形成するようにしているが、本発明ではこれに限られるものではなく、例えば予めそれぞれ所定形状に形成した２つの袋体を用意し、それらを縫製などにより接続・連結することにより前記頭頂側袋体１と前記頸部側袋体２とから成る本発明の枕を構成するようにしてもよい。また、前記実施例１においては、前記頭頂側袋体１と前記頸部側袋体２とをそれぞれ例示したような寸法で形成するようにしているが、本発明は前述した例示の寸法に限定されるものではなく、ユーザーの身長や体格などによりそれに適したサイズのものとして構成することができる（実際には、子供用、大人の女性用、大人の男性用とか、Ｓ，Ｍ，Ｌなどの複数の類型に沿ってサイズをパターン化して製作することが望ましい）。また、前記前記頭頂側袋体１と前記頸部側袋体２の内容物としては、前記各実施例におけるような粒状ウールやゲル状保冷剤を使用するだけでなく、通常の蕎麦殻などの従来より枕の中に収容されている内容物を使用するようにしてもよいことはもちろんである。また、前記実施例においては、前記欠損部（空洞部）は、前記頸部側袋体２との境界線が略円弧状（曲線状）となっている（略円弧状の境界線により切り欠かれている）が、本発明における欠損部は、前記頸部側袋体２との境界線が略直線状となっており（略直線状の境界線により切り欠かれており）、その全体の平面形状が略三角形状となっていてもよい。
【符号の説明】
【００４４】
１          頭頂側袋体
２          頸部側袋体
２ａ      頸部側袋体の上辺
２ｂ      頸部側袋体の下辺
３          境界部
４          欠損部（空洞部）
４ａ      欠損部の上端部
４ｂ      欠損部の下端部
４ｃ      欠損部を画する曲線
５          傾斜部
６        凹部
１０     ユーザー
１０ａ 耳部
１０ｂ 肩
１０ｃ  顎部
１１，１２         開閉部
【図１】
2011218138.tif 000003
【図２】
2011218138.tif 000004
【図３】
2011218138.tif 000005
【図４】
2011218138.tif 000006
【図５】
2011218138.tif 000007
【図６】
2011218138.tif 000008
【図７】
2011218138.tif 000009
【図８】
2011218138.tif 000010
【図９】
2011218138.tif 000011
【図１０】
2011218138.tif 000012
【図１１】
2011218138.tif 000013
【図１２】
2011218138.tif 000014
【図１３】
2011218138.tif 000015
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
ユーザーの後頭部を支持する頭頂側袋体とユーザーの耳周辺部及び頸部を支持する頸部側袋体とがユーザーから見て上下方向に並ぶように配置されて成る、口腔を保護する枕であって、
所定の内容物が入れられた頭頂側袋体であって、平面が細長い略長方形状に形成され、そのユーザーから見て左右方向の長さが、ユーザーの額の左右いずれか一方の側部から後頭部を介してユーザーの額の左右いずれか他方の側部に至るまでの距離と略同一の長さ又はこれよりも大きい長さである約３０〜６０ｃｍに、形成されている、頭頂側袋体と、
所定の内容物が入れられた頸部側袋体であって、（ａ）その上端部が、前記頭頂側袋体の頸部側と接しており、（ｂ）その平面が、上下逆向きの略台形状に形成されており、（ｃ）その左右両側に、その前記頭頂側袋体の左右両端部に近い部分からそれぞれユーザーの胴体中央方向に向かう斜め方向の略円弧状もしくは略直線状の境界線により画されている欠損部であってユーザーが横向きで寝るときの前記ユーザーの顎部と対向する欠損部、が形成されており、（ｄ）その全体のユーザーから見て上下方向の長さが、「ユーザーの頸部の上下方向の長さ、すなわちユーザーの耳部もしくはその周辺部から肩に至るまでの距離」と略同一の長さ又はこれに近似する長さである約９〜１５ｃｍに、形成されており、（ｅ）その前記頭頂側袋体側に近い部分のユーザーから見て左右方向の長さが、ユーザーの左右いずれか一方の耳部から後頭部を介して他方の耳部に至るまでの距離と近似する長さと前記頭頂側袋体のユーザーから見て左右方向の長さと略同一の長さとのいずれかの長さである約２８〜６０ｃｍに、形成されており、（ｆ）その前記頭頂側袋体側から離れている部分のユーザーから見て左右方向の長さが、ユーザーの左右いずれか一方の顎部の後頭部側から頸部の背側を介して他方の顎部の後頭部側に至るまでの距離と略同一の長さ又はこれに近似する長さである約１８〜２６ｃｍに、形成されている、頸部側袋体と、
前記頭頂側袋体と前記頸部側袋体との境界部及びその近傍部分にユーザーから見て左右方向に沿って形成されている断面略Ｖ字状の凹部であって、前記頸部側袋体から前記頭頂側袋体に近づくに従ってユーザーから離れる方向に傾斜するように形成されておりユーザーが横向き寝の姿勢にあるときにユーザーの耳部が配置される傾斜部、を含む凹部と、
を含むことを特徴とする口腔を保護する枕。
【請求項２】
ユーザーの後頭部を支持する頭頂側袋体とユーザーの耳周辺部及び頸部を支持する頸部側袋体とがユーザーから見て上下方向に並ぶように配置されて成る、口腔を保護する枕であって、
所定の内容物が入れられた頭頂側袋体であって、平面が細長い略長方形状に形成され、そのユーザーから見て左右方向の長さが約３０〜６０ｃｍに形成されている、頭頂側袋体と、
所定の内容物が入れられた頸部側袋体であって、（ａ）その上端部が、前記頭頂側袋体の頸部側と接しており、（ｂ）その平面が、上下逆向きの略台形状に形成されており、（ｃ）その左右両側に、その前記頭頂側袋体の左右両端部に近い部分からそれぞれユーザーの胴体中央方向に向かう斜め方向の略円弧状もしくは略直線状の境界線により画されている欠損部であってユーザーが横向きで寝るときの前記ユーザーの顎部と対向する欠損部、が形成されており、（ｄ）その全体のユーザーから見て上下方向の長さが約９〜１５ｃｍに形成されており、（ｅ）その前記頭頂側袋体側に近い部分のユーザーから見て左右方向の長さが約２８〜６０ｃｍに形成されており、（ｆ）その前記頭頂側袋体側から離れている部分のユーザーから見て左右方向の長さが約１８〜２６ｃｍに形成されている、頸部側袋体と、
前記頭頂側袋体と前記頸部側袋体との境界部及びその近傍部分にユーザーから見て左右方向に沿って形成されている断面略Ｖ字状の凹部であって、前記頸部側袋体から前記頭頂側袋体に近づくに従ってユーザーから離れる方向に傾斜するように形成されておりユーザーが横向き寝の姿勢にあるときにユーザーの耳部が配置される傾斜部、を含む凹部と、
を含むことを特徴とする口腔を保護する枕。
【請求項３】
ユーザーの後頭部を支持する頭頂側袋体とユーザーの耳周辺部及び頸部を支持する頸部側袋体とがユーザーから見て上下方向に並ぶように配置されて成り、個々の特定のユーザーＡ毎にその頭部の形やサイズを測定してその個々のユーザーＡの頭部の形やサイズに適合するように個別に作製されて成る、口腔を保護する枕であって、
（Ａ）前記ユーザーＡの後頭部を支持するための所定の内容物が入れられている頭頂側袋体であって、平面が細長い略長方形状に形成され、前記ユーザーＡから見て左右方向の長さが前記ユーザーＡの額の左右いずれか一方の側部から後頭部を介して前記ユーザーＡの額の左右いずれか他方の側部に至るまでの距離と略同一かこれよりも大きい長さに形成されている頭頂側袋体と、（Ｂ）前記頭頂側袋体と隣接して配置されており前記ユーザーＡの耳周辺部及び頸部を支持するための所定の内容物が入れられている頸部側袋体であって、（ａ）その上端部が前記頭頂側袋体の頸部側に接続されており、（ｂ）その平面が上下逆向きの略台形状に形成されており、（ｃ）その左右両側に「その前記頭頂側袋体の左右両端部に近い部分からそれぞれ前記ユーザーＡの胴体中央方向に向かう斜め方向の略円弧状もしくは略直線状の境界線により画されている欠損部であって前記ユーザーＡが横向きで寝るときの前記ユーザーＡの顎部と対向する欠損部」が形成されており、（ｄ）その全体の前記ユーザーＡから見て上下方向の長さが、「前記ユーザーＡの頸部の上下方向の長さ、すなわち前記ユーザーＡの耳部もしくはその周辺部から肩に至るまでの距離」と略同一の又はこれに近似する長さに、形成されており、（ｅ）その前記頭頂側袋体側に近い部分の前記ユーザーＡから見て左右方向の長さが、前記ユーザーＡの左右いずれか一方の耳部から後頭部を介して他方の耳部に至るまでの距離と近似する長さと前記頭頂側袋体のユーザーから見て左右方向の長さとのいずれかの長さに、形成されており、（ｆ）その前記頭頂側袋体側から離れている部分の前記ユーザーＡから見て左右方向の長さが、前記ユーザーＡの左右いずれか一方の顎部の後頭部側から頸部の背側を介して他方の顎部の後頭部側に至るまでの距離と略同一の長さ又はこれに近似する長さに、形成されている、頸部側袋体と、を形成すると共に、
前記頭頂側袋体と前記頸部側袋体との境界部及びその近傍部分に、前記ユーザーＡから見て左右方向に沿って形成された断面略Ｖ字状の凹部であって、「前記頸部側袋体から前記頭頂側袋体に近づくに従って前記ユーザーＡから離れる方向に傾斜しており前記ユーザーＡが横向き寝の姿勢にあるときに前記ユーザーＡの耳部が配置される傾斜部」を含む凹部を形成する、
ことにより製造される、ことを特徴とする口腔を保護する枕。
【請求項４】
請求項１から３において、
前記頭頂側袋体及び頸部側袋体の内部には、多数の天然繊維もしくは化学繊維が互いに絡み合わされることにより直径２〜７ｍｍの略球状に形成されて成る粒状体が、多数個、収容されているか、又は、ゲル状の保冷剤を封入した柔軟な袋体が１つ又は複数個、収容されている、ことを特徴とする口腔を保護する枕。
【手続補正２】
【補正対象書類名】明細書
【補正対象項目名】０００８
【補正方法】変更
【補正の内容】
【０００８】
また、本発明による口腔を保護する枕は、ユーザーの後頭部を支持する頭頂側袋体とユーザーの耳周辺部及び頸部を支持する頸部側袋体とがユーザーから見て上下方向に並ぶように配置されて成り、個々の特定のユーザーＡ毎にその頭部の形やサイズを測定してその個々のユーザーＡの頭部の形やサイズに適合するように個別に作製されて成る、口腔を保護する枕であって、（Ａ）前記ユーザーＡの後頭部を支持するための所定の内容物が入れられている頭頂側袋体であって、平面が細長い略長方形状に形成され、前記ユーザーＡから見て左右方向の長さが前記ユーザーＡの額の左右いずれか一方の側部から後頭部を介して前記ユーザーＡの額の左右いずれか他方の側部に至るまでの距離と略同一かこれよりも大きい長さに形成されている頭頂側袋体と、（Ｂ）前記頭頂側袋体と隣接して配置されており前記ユーザーＡの耳周辺部及び頸部を支持するための所定の内容物が入れられている頸部側袋体であって、（ａ）その上端部が前記頭頂側袋体の頸部側に接続されており、（ｂ）その平面が上下逆向きの略台形状に形成されており、（ｃ）その左右両側に「その前記頭頂側袋体の左右両端部に近い部分からそれぞれ前記ユーザーＡの胴体中央方向に向かう斜め方向の略円弧状もしくは略直線状の境界線により画されている欠損部であって前記ユーザーＡが横向きで寝るときの前記ユーザーＡの顎部と対向する欠損部」が形成されており、（ｄ）その全体の前記ユーザーＡから見て上下方向の長さが、「前記ユーザーＡの頸部の上下方向の長さ、すなわち前記ユーザーＡの耳部もしくはその周辺部から肩に至るまでの距離」と略同一の又はこれに近似する長さに、形成されており、（ｅ）その前記頭頂側袋体側に近い部分の前記ユーザーＡから見て左右方向の長さが、前記ユーザーＡの左右いずれか一方の耳部から後頭部を介して他方の耳部に至るまでの距離と近似する長さと前記頭頂側袋体のユーザーから見て左右方向の長さとのいずれかの長さに、形成されており、（ｆ）その前記頭頂側袋体側から離れている部分の前記ユーザーＡから見て左右方向の長さが、前記ユーザーＡの左右いずれか一方の顎部の後頭部側から頸部の背側を介して他方の顎部の後頭部側に至るまでの距離と略同一の長さ又はこれに近似する長さに、形成されている、頸部側袋体と、を形成すると共に、前記頭頂側袋体と前記頸部側袋体との境界部及びその近傍部分に、前記ユーザーＡから見て左右方向に沿って形成された断面略Ｖ字状の凹部であって、「前記頸部側袋体から前記頭頂側袋体に近づくに従って前記ユーザーＡから離れる方向に傾斜しており前記ユーザーＡが横向き寝の姿勢にあるときに前記ユーザーＡの耳部が配置される傾斜部」を含む凹部を形成する、ことにより製造されるものである。
さらに、本発明においては、前記頭頂側袋体及び頸部側袋体の内部に、多数の天然繊維もしくは化学繊維が互いに絡み合わされることにより直径２〜７ｍｍの略球状に形成されて成る粒状体が、多数個、収容されている、ことが望ましい。さらに、本発明においては、前記頭頂側袋体及び頸部側袋体の内部に、ゲル状の保冷剤を封入した柔軟な袋体が１つ又は複数個、収容されている、ことが望ましい。